(57)【要約】【課題】バリア操作によってレンズ鏡筒の進退動作に支障を来すことなく、その構成も簡単であるバリア付きカメラを提供する。【解決手段】本発明のバリア付きカメラは、進退可能なレンズ鏡筒３の前面を開閉する開位置と閉位置とに移動可能なバリア２を有しており、レンズ鏡筒３がカメラ本体から突出した撮影位置にあるとき、レンズ鏡筒３側の押圧バネ３ｇによりロック軸１８がカメラ本体１から突出する方向に付勢され、突出するロック軸１８によりバリア２の閉方向への移動が阻止される。一方、レンズ鏡筒３が沈胴方向に繰り込まれ、カメラ本体から突出していないときは、レンズ鏡筒３側の押圧バネ３ｇの付勢力は作用せず、戻しバネ１９の付勢力によりロック軸１８は、カメラ本体内に引き込まれ、バリア２は閉方向に移動可能となる。【選択図】　　図７
2004013007.tif 000002
【特許請求の範囲】
【請求項１】
撮影可能位置と撮影不可能とする撮影不可能位置との間を移動するレンズ移動軌跡を有する撮影レンズ鏡筒と、上記撮影レンズ鏡筒を覆う閉じ位置と撮影レンズ鏡筒の前面から退避する開位置との間を移動して上記レンズ移動軌跡と交差するバリア移動軌跡を有するバリアとを有するバリア付きカメラにおいて、
上記カメラの本体側に設けられ、上記撮影レンズ鏡筒が上記バリアのバリア移動軌跡中に有るとき、上記バリアを上記開位置から閉じ位置へと移動させると上記バリアと係合し、上記バリアの移動を禁止し、上記撮影レンズ鏡筒が上記バリアのバリア移動軌跡外に有っても上記バリアの上記閉じ方向への操作力を継続して与えていると、上記係合を継続し、上記撮影レンズ鏡筒の移動に上記操作力の影響を及ぼさないように構成したロック部材を有したことを特徴とするバリア付きカメラ。
【請求項２】
上記ロック部材を上記バリアと係合する方向とは反対の方向に付勢する付勢部材を有し、上記ロック部材は、上記撮影レンズ鏡筒が上記撮影可能位置に有るとき、上記付勢部材に抗して上記バリアと係合可能であり、上記撮影レンズ鏡筒が上記撮影不可能位置にあるとき、上記付勢部材により上記バリアと係合が不可能となることを特徴とする請求項１記載のバリア付きカメラ。
【請求項３】
上記ロック部材は、棒状部材であり、上記撮影レンズ鏡筒の光軸と平行に配置され、上記撮影レンズ鏡筒の光軸と平行に移動可能であることを特徴とする請求項１、または、２記載のバリア付きカメラ。
【請求項４】
上記ロック部材は、上記撮影レンズ鏡筒が上記撮影可能位置へ移動する期間中に上記撮影レンズ鏡筒に連動して移動し、上記撮影レンズ鏡筒が上記撮影不可能位置へ移動する期間中にこの連動関係を断つことを可能とすることを特徴とする請求項１、または、２記載のバリア付きカメラ。
【発明の詳細な説明】
【０００１】
【発明の属する技術分野】
本発明は、撮影位置にある撮影レンズを露呈する開位置と、収納位置にある上記撮影レンズを覆う閉じ位置とに移動可能なバリア、すなわち、レンズバリアを有するバリア付きカメラに関する。
【０００２】
【従来の技術】
従来のバリア付きカメラとして、特開平１−２５５８３９号公報に開示のものは、レンズ鏡筒とレンズを保護するバリアとの干渉を防止するためにレンズ鏡筒が繰り出されるのときには、バリアが係止レバーによりレンズ前面開放位置でロックされる構造を有するカメラである。このカメラでは、レンズ鏡筒繰り出し状態（突出状態）、または、繰り出しの途中の状態で係止レバーの先端部がレンズ鏡筒の移動枠の一部に当接可能になっている。もし、レンズ鏡筒が繰り出し動作若しくは繰り込み動作の途中でバリアを閉方向に大きな力で押圧し続けた場合、レンズ駆動係に対してレンズ鏡筒の移動枠を介して過負荷が作用し、モータの電力消耗が過大になり、場合によっては、レンズ駆動系が破損することにもなりかねない。
【０００３】
そこで、上述の問題を解決するものとして提案された特開平６−２９４９９１号公報に開示のカメラは、バリアの内部にレンズ鏡筒保護用ロック機構としてロック部材と当接部材とギヤ伝達部材等が組み込まれるものである。このカメラにおいては、レンズ鏡筒が撮影可能な繰り出し位置にあるとき、上記バリアを閉方向に移動させた場合、上記当接部材の先端が比較的に弱い力でレンズ鏡筒に当接する一方、ロック部材がカメラ本体側の突起部に当接する状態になる。このロック部材のカメラ本体への当接によってバリアの操作力からレンズ鏡筒が保護され、かつ、レンズ駆動系に異常な力が働かなくなる。
【０００４】
【発明が解決しようとする課題】
しかし、上述の特開平６−２９４９９１号公報に開示のものでは、上記ロック機構がバリア内部に組み込まれたものであり、上記ロック機構の構成部品点数が比較的多く、コストアップが避けられない。
【０００５】
本発明は、上述の不具合を解決するためになされたものであり、レンズ鏡筒前面を開閉するバリアを有するカメラにおいて、バリア操作によってレンズ鏡筒の進退動作に支障を来すことなく、その構成も簡単であるバリア付きカメラを提供することを目的とする。
【０００６】
【課題を解決するための手段】
本発明の請求項１記載のバリア付きカメラは、撮影可能位置と撮影不可能とする撮影不可能位置との間を移動するレンズ移動軌跡を有する撮影レンズ鏡筒と、上記撮影レンズ鏡筒を覆う閉じ位置と撮影レンズ鏡筒の前面から退避する開位置との間を移動して上記レンズ移動軌跡と交差するバリア移動軌跡を有するバリアとを有するバリア付きカメラにおいて、上記カメラの本体側に設けられ、上記撮影レンズ鏡筒が上記バリアのバリア移動軌跡中に有るとき、上記バリアを上記開位置から閉じ位置へと移動させると上記バリアと係合し、上記バリアの移動を禁止し、上記撮影レンズ鏡筒が上記バリアのバリア移動軌跡外に有っても上記バリアの上記閉じ方向への操作力を継続して与えていると、上記係合を継続し、上記撮影レンズ鏡筒の移動に上記操作力の影響を及ぼさないように構成したロック部材を有しており、上記撮影レンズ鏡筒が上記バリアのバリア移動軌跡中に有るとき、上記ロック部材により上記バリアのレンズ移動軌跡への移動が禁止される。
【０００７】
本発明の請求項２記載のバリア付きカメラは、請求項１記載のバリア付きカメラにおいて、上記ロック部材を上記バリアと係合する方向とは反対の方向に付勢する付勢部材を有し、上記ロック部材は、上記撮影レンズ鏡筒が上記撮影可能位置に有るとき、上記付勢部材に抗して上記バリアと係合可能であり、上記撮影レンズ鏡筒が上記撮影不可能位置にあるとき、上記付勢部材により上記バリアと係合が不可能となる。
【０００８】
本発明の請求項３記載のバリア付きカメラは、請求項１、または、２記載のバリア付きカメラにおいて、上記ロック部材は、棒状部材であり、上記撮影レンズ鏡筒の光軸と平行に配置され、上記撮影レンズ鏡筒の光軸と平行に移動可能である。
【０００９】
本発明の請求項４記載のバリア付きカメラは、請求項１、または、２記載のバリア付きカメラにおいて、上記ロック部材は、上記撮影レンズ鏡筒が上記撮影可能位置へ移動する期間中に上記撮影レンズ鏡筒に連動して移動し、上記撮影レンズ鏡筒が上記撮影不可能位置へ移動する期間中にこの連動関係が断たれる。
【００１０】
【発明の実施の形態】
以下、本発明の実施の形態を図に基づいて説明する。
図１は、本発明の一実施形態を示すバリア付きカメラのレンズバリア（以下、バリアと記載）開状態での斜視図である。図２は、上記カメラの撮影状態でバリアを取り外した状態を示す分解斜視図である。図３は、上記カメラに装着されるバリアを図１のＡ方向と反対の内面側から見た斜視図である。図４〜６は、図１のＡ方向から見たバリアの開閉状態を示す正面図であって、図４はバリア開放状態、図５はバリア準開放状態、図６は、バリア閉状態を示す。
【００１１】
なお、以下の説明にいて、カメラの被写体側を前方とし、結像面側を後方とする。また、バリアの閉位置への移動方向をＰ方向とし、開位置への移動方向をＱ方向とする。
【００１２】
図１に示すように本実施形態のバリア付きカメラには、カメラ本体１の前面部に収納位置にある撮影レンズ前面を覆う閉位置Ｐ２Ａ（図６）と、バリアロック位置である準開位置Ｐ２Ｃ（図５）を経由して撮影位置にある撮影レンズ前面を露呈する開位置Ｐ２Ｂ（図４）に移動可能なバリア２が配設されている。
【００１３】
上記バリア２の開閉動作に制御上で連動して撮影レンズ鏡筒（以下、レンズ鏡筒と記載）３が撮影不可能位置である沈胴位置と撮影可能位置である撮影位置に進退駆動される。
【００１４】
上記撮影レンズ鏡筒３の上記撮影位置と収納位置との間の移動軌跡をレンズ移動軌跡とする。また、上記バリア２の閉位置と開位置との間の移動する軌跡をバリア移動軌跡とする。
【００１５】
上記バリア移動軌跡，レンズ移動軌跡そのものは、交差しているが、上記撮影レンズ鏡筒３が収納位置にあるときは、上記バリア２のバリア移動軌跡外にあり、撮影レンズ鏡筒３が撮影位置にあるときは、上記バリア移動軌跡内にある。換言すれば、バリア２が開位置にあるときは、バリア２は、撮影レンズ鏡筒３のレンズ移動軌跡外にあり、上記バリア２が閉位置にあるときは、撮影レンズ鏡筒３のレンズ移動軌跡内にある。
【００１６】
本実施形態のカメラにおいては、図１，２に示すように外装体を兼ねるカメラ本体１の前面部には、上記バリア２を摺動自在に支持するためのガイド溝１ａ，１ｂが本体上部と下部に左右方向に延出して互いに平行に形成されている。
【００１７】
カメラ本体１の前面中央部には、光軸Ｏ方向に進退自在な上記レンズ鏡筒３が配設され、その上方にストロボ窓４、ファインダ窓５、測距用受光窓６、測距用投光窓８、測光用窓７、セルフタイマ表示窓９等が配置される。バリア２が閉位置Ｐ２Ａ（図６）にあるとき、収納状態の上記レンズ鏡筒３および上記測距用受光窓６からセルフタイマ表示窓９までが完全に覆われる。
【００１８】
カメラ本体１の上面部には、レリーズスイッチ１０ａ（図１３参照）操作用のレリーズ釦１０が配設されている。
【００１９】
また、図２に示すように、カメラ本体１の前面のレンズ鏡筒３の左側にはロック部材のロック軸１８の先端部が出没可能状態で位置しており、その下方にバリア２の開閉状態を検出するための、接片１ｄ，１ｅを有するバリア検出スイッチ１ｃが配設されている。カメラ本体１の前面上部に小穴１ｈが配設されており、バリア２にクリックストップ作用を与えるクリック用バネ１ｎとクリック用ボール１ｍが嵌入している。
【００２０】
バリア２には、図３に示すように上下の縁部に係合ガイド部２ａ，２ｂと、閉方向端面２ｆ側近傍の内壁面２ｅ上に係止穴２ｃおよび突起２ｄと、上辺内面に２つのクリック用凹部２ｉ，２ｊが設けられている。
【００２１】
上記ガイド部２ａ，２ｂは、それぞれカメラ本体１の前記ガイド溝１ａ，１ｂに摺動自在に嵌入する。上記突起２ｄは、カメラ本体１に配設されたバリア検出スイッチ１ｃの接片１ｅを押圧するための突起である。
【００２２】
上記突起２ｄは、バリア２が開位置Ｐ２Ｂにあるとき、上記接片１ｅを押圧し、接片１ｄに接触させ、バリア検出スイッチ１ｃをオン状態とする。そのオン信号によりレンズ鏡筒３の撮影可能位置への繰り出しが開始される。また、バリア２が開位置Ｐ２Ｂから準開位置Ｐ２Ｃに到達したとき、接片１ｅを解放し、バリア検出スイッチ１ｃをオフ状態とする（図５，１０参照）。そのオフ信号によりレンズ鏡筒３の収納動作が開始される。なお、バリア検出スイッチ１ｃ自体は、バリア２の開閉位置に関わらず、常にバリア２に覆われており、露出しない。
【００２３】
上記クリック用凹部２ｉ，２ｊは、前記カメラ本体１上部の小穴１ｈに嵌入されている上記クリック用ボール１ｍが落ち込み、クリック感を出し、バリア２を所定の位置に止める。即ち、クリック用凹部２ｉにボール１ｍが嵌入すれば、バリア２は開位置Ｐ２Ｂに、また、クリック用凹部２ｊにボール１ｍが嵌入すれば、バリアは閉位置Ｐ２Ａにそれぞれクリック保持される。
【００２４】
上記係止穴２ｃは、カメラ本体１から突出するロック軸１８の先端が嵌入可能な有底の穴部である。レンズ鏡筒３が撮影位置にあるときにバリア２を開位置Ｐ２ＢからＰ方向にわずかに移動させると、上記係止穴２ｃに突出付勢されているロック軸１８の先端が嵌入する。その係止穴２ｃにロック軸１８が嵌入するバリア２の位置が準開位置Ｐ２Ｃであり、バリア２のさらなるＰ方向への移動がロック軸１８により阻止され、バリア２の先端面２ｆがレンズ鏡筒３の外周に当接することが防止される。
【００２５】
次に、上記レンズ鏡筒３の駆動機構およびロック軸１８まわりのロック機構の詳細について、図７，８等を用いて説明する。なお、図７は、ロック軸，レンズ鏡筒周りの分解斜視図であり、図８等は、各動作状態におけるカメラの横断面図である。
【００２６】
上記レンズ鏡筒３は、主に撮影レンズ３ｅを保持するズーム枠３ｆと、ズーム枠３ｆを進退可能に保持する移動枠３ａとを有してなる。
【００２７】
上記レンズ鏡筒３は、カメラ本体１の開口部１ｊに嵌入し、カメラ本体１に支持される撮影レンズ光軸Ｏと平行なガイド軸１５に沿って摺動自在に支持されている。そして、上記レンズ鏡筒３は、上記ガイド軸１５と平行な送りネジ１３により進退駆動される。カメラ本体１内の収納位置に繰り込まれた状態でレンズ鏡筒３のフランジ部３ｂは、カメラ本体１に固定されるアパーチャ部材２２の突起２２ａに沈胴時に当接する。なお、アパーチャ部材２２の後方の後カバー１ｋとの間には、圧板２３と圧板バネ２４が配設されている（図８）。
【００２８】
なお、送りネジ１３は、移動枠３ａのフランジ部３ｂに設けられるネジ穴３ｃに螺合し、アパーチャ部材２２とカメラ本体１間で回転可能に支持されており、送りネジ１３の一端部に駆動モータ１１のピニオン１２と噛合するギヤ１４が固着されている。また、ガイド軸１５は、アパーチャ部材２２とカメラ本体１間で支持され、移動枠３ａのガイド穴３ｄに摺動自在に嵌入している。したがって、駆動モータ１１が回転すると送りネジ１３が回転し、レンズ鏡筒３の移動枠３ａがガイド軸１５に沿って進退駆動される。また、上記駆動モータ１１の出力軸には、スリット板１６が固着されており、スリット板１６の回転量は、フォトインターラプタ１７により検出され、その出力信号は、後述するＣＰＵ３２に取り込まれる（図１３）。
【００２９】
また、上記移動枠３ａには、ロック軸１８を摺動可能に支持する軸支持台３ｈと、ロック軸１８を押圧駆動するための板バネからなる押圧バネ３ｇとが外周の側方部に配置される。
【００３０】
上記ロック軸１８は、図７，８等に示すように棒状の部材からなるロック部材であり、移動枠３ａの軸支持台３ｈの支持穴３ｉとカメラ本体１の側方の支持穴１ｉにより光軸Ｏと平行な状態で摺動自在に支持されている。上記ロック軸１８には、軸支持台３ｈより前方の所定位置の溝部１８ａに挿入される止め輪１８ｂが取り付けられている。そして、ロック軸１８の止め輪１８ｂとカメラ本体１の支持穴１ｉ間には、圧縮バネからなる付勢部材の戻しバネ１９が挿入されており、ロック軸１８は、上記戻しバネ１９による後方方向（バリア２と係合しない方向）への付勢力を受けている。
【００３１】
また、上記移動枠３ａに取り付けられる押圧バネ３ｇの先端部は、移動枠３ａの進退移動位置によってロック軸１８の止め輪１８ｂに当接して、ロック軸１８を前方に移動させる。なお、移動枠３ａとロック軸１８との所定相対位置範囲において戻しバネ１９による付勢力よりも押圧バネ３ｇによる操作付勢力が大きく設定されている。
【００３２】
上記軸支持台３ｈの下面部には、接片２０ａとコモン接片２０ｂとを有する摺動接片２０が取り付けられており、摺動接片２０は、移動枠３ａの進退移動とともに光軸Ｏに沿って移動する。その摺動接片２０の下部のカメラ本体１の底面部には、上記摺動接片２０が摺接する鏡筒位置検出スイッチ基板２１が配置されている。
【００３３】
上記鏡筒位置検出スイッチ基板２１は、沈胴スイッチ（沈胴位置検出スイッチ）３４ａ、および、撮影位置検出スイッチ３４ｂを構成する基板であって、上記接片２０ａが摺接する鏡筒収納位置検出パターン２１ａおよび鏡筒撮影可能位置検出パターン２１ｂと、コモン接片２０ｂが摺接するコモンパターン２１ｃとが設けられている。上記レンズ鏡筒３が収納位置にあるとき、上記接片２０ａが上記パターン２１ａとが接触し、レンズ鏡筒３が撮影可能位置にあるとき、上記接片２０ａが上記パターン２１ｂとが接触する。それらの出力信号は、後述するレンズ鏡筒の沈胴位置検出スイッチ３４ａおよび撮影位置検出スイッチ３４ｂの出力信号として後述するＣＰＵ３２（図１３）に取り込まれる。
【００３４】
次に、以上のように構成された本実施形態のバリア付きカメラにおけるバリアの開閉に伴うレンズ鏡筒の進退動作について、図４〜図１２を用いて説明する。
なお、図８〜１２は、バリアおよびレンズ鏡筒の各動作状態での図１のＢ−Ｂ断面図を示し、図８は、バリアが閉位置にあり、レンズ鏡筒が収納位置に繰り込まれた状態を示し、図９は、バリアが開位置にあり、レンズ鏡筒が撮影位置にある状態を示し、図１０は、バリアが準開位置にあり、レンズ鏡筒が撮影位置にある状態を示し、図１１は、バリアが準開位置にあり、レンズ鏡筒が収納位置に向けて繰り込み途中の状態を示し、図１２は、バリアが準開位置にあり、レンズ鏡筒が収納位置に繰り込まれた状態を示す。
【００３５】
図６，８に示すようにバリア２が閉位置Ｐ２Ａにあって、レンズ鏡筒３が沈胴位置に繰り込まれた状態では、ロック軸１８は、戻しバネ１９により後方に付勢され、アパーチャ部材２に当接している。その状態では、ロック軸１８の先端は、カメラ本体１の支持穴１ｉ内にあり、バリア２は、開放可能である。
【００３６】
図４，９に示すようにバリア２が開位置Ｐ２Ｂにあって、レンズ鏡筒３が撮影可能位置に繰り出されている状態では、ロック軸１８は、戻しバネ１９の付勢力に抗して押圧バネ３ｇにより押圧されてロック軸１８の先端がバリア２の内面側に当接している。
【００３７】
上記レンズ鏡筒が撮影位置にある状態でバリア２を開位置Ｐ２ＢからＰ方向に僅かにスライドさせ、図９に示す状態から図１０に示す準開位置Ｐ２Ｃまで移動させるとバリア検出スイッチ１ｃがバリア突起２ｄによる押圧から解放され、そのオフ信号がＣＰＵ３２（図１３参照）に出力される。その出力によりレンズ鏡筒３の収納位置への繰り込み動作が開始される。
【００３８】
そのとき、ロック軸１８の先端部は、押圧バネ３ｇの付勢力でバリア２の係止穴２ｃに嵌入し、バリア２は、上記準開位置Ｐ２Ｃにロックされ、それ以上、Ｐ方向へ移動できない。したがって、バリア２の先端面２ｆが撮影位置、または、カメラ本体１から突出した位置にあるレンズ鏡筒３の外周に当接することがなく、レンズ鏡筒３が保護される。同時に駆動モータ１１に過負荷が作用せず正常な繰り込みが実行される。
【００３９】
レンズ鏡筒３は、図１１の状態を経て図１２に示す沈胴位置まで繰り込まれる。その沈胴位置への繰り込み期間中の所定位置までは、ロック軸１８は、押圧バネ３ｇの後退に伴ってレンズ鏡筒３と連動して沈胴位置方向に移動する。しかし、ロック軸１８の後端面がアパーチャ部材２２に当接した後、押圧バネ３ｇがロック軸１８の止め輪１８ｂから離間し、上記連動動作が解消される。この状態では、レンズ鏡筒３は、すでにカメラ本体から突出していない状態であって、ロック軸１８の先端は、カメラ本体１の支持穴１ｉ内に収まり、バリア２のロックが解除される。
【００４０】
また、上記レンズ鏡筒３の沈胴位置への繰り込み動作中、もし、バリア２にＰ方向の操作力が継続して作用し続けた場合には、図１１，１２に示すようにロック軸１８の先端にバリア２の係止穴２ｃによる軸直角方向の摩擦保持力が作用して、ロック軸１８の先端がバリア２の係止穴２ｃに係合したままで保持され、バリア２は、ロックされた状態を維持する。したがって、レンズ鏡筒３の沈胴位置への繰り込み動作に悪影響を与えない。
【００４１】
上述のように上記ロック軸１８の先端の外周部と、バリア２の係止穴２ｃの内周面とが当接する構成が上記バリア２の閉じ方向への操作力の維持の結果としてロック状態維持手段として機能することになる。すなわち、上記ロック部材は、上記撮影レンズ鏡筒が上記撮影可能位置へ移動する期間中に上記撮影レンズ鏡筒に連動して移動し、上記撮影レンズ鏡筒が上記撮影不可能位置へ移動する期間中にこの連動関係を断つことが可能である。
【００４２】
レンズ鏡筒３が沈胴位置に繰り込まれ、上記バリア２に対するＰ方向の操作力が除かれると、上述したように上記ロック軸１８の先端とバリア２の係止穴２ｃとの係合が解除され、ロック軸１８は、戻しバネ１９の付勢力でカメラ本体１から突出しない位置に移動するので、バリア２は、閉位置Ｐ２Ａに向けてスライド移動可能となる。
【００４３】
また、図８に示すレンズ鏡筒３が沈胴状態にあるとき、バリア２をＱ方向に開位置Ｐ２Ｂまで移動させると、バリア検出スイッチ１ｃがオンされ、その出力信号がＣＰＵ３２に取り込まれ、レンズ鏡筒３の撮影位置への繰り出しが開始される。
【００４４】
レンズ鏡筒３が撮影可能位置に向けて繰り出されている期間中、所定の位置以上繰り出されると、ロック軸１８の止め輪１８ｂにレンズ鏡筒３の押圧バネ３ｇが当接する。それ以後は、ロック軸１８は、戻しバネ１９の付勢力に抗して押圧バネ３ｇで押圧され、レンズ鏡筒３と連動した状態で前方に移動する。レンズ鏡筒３がカメラ本体から突出するにしたがって、ロック軸１８もカメラ本体から突出する可能に付勢された状態となる。そして、レンズ鏡筒３が撮影位置に到達し、図９に示すようにロック軸１８の先端がバリア２の内側に当接する。
【００４５】
そこで、上記図９に示したレンズ鏡筒３が撮影位置にある状態でバリア２をＰ方向に移動させると、前述したようにロック軸１８の先端部は、押圧バネ３ｇの付勢力でバリア２の係止穴２ｃに嵌入し、バリア２は、上記準開位置Ｐ２Ｃにロックされるので、それ以上は、Ｐ方向へ移動できず、バリア２とレンズ鏡筒３のとの干渉は避けられる。なお、この状態が保持されると前述したようにバリア検出スイッチ１ｃのオフ信号が出力され、レンズ鏡筒３の沈胴位置への繰り込みが開始される。
【００４６】
ここで、本実施形態の駆動制御手段としてのカメラの鏡筒制御部、および、各検出スイッチ部周りの主要電気制御回路の構成について、図１３の電気回路図を用いて説明する。
本実施形態のカメラは、電源部である電池３１により駆動される。ＣＰＵ３２は、本カメラにおける全制御を司る制御手段である。モータ駆動用ドライバ３３は、駆動手段としての一部を担い、ＣＰＵ３２によりコントロールされ、駆動モータ１１を駆動し、レンズ鏡筒３の進退駆動させる。
【００４７】
また、上記ＣＰＵ３２は、カメラ本体内に組み込まれる収納位置検出スイッチ（沈胴スイッチ）３４ａと撮影位置検出スイッチ３４ｂの出力信号を取り込み、レンズ鏡筒３の進退状態を検出する。また、バリア検出スイッチ１ｃの出力信号を取り込み、バリア２が開放されたことを検知する。さらに、レリーズ釦１０により操作されるレリーズスイッチ１０ａの出力信号を取り込み、撮影のためのシーケンスを開始させる。
【００４８】
次に、上記バリア開閉動作を含めた撮影処理制御動作について、図１４のフローチャートを用いて説明する。なお、図１４は、本実施形態のカメラにおけるバリア開閉に伴うレンズ鏡筒３の制御動作を含む撮影処理のゼネラルフローチャートである。
【００４９】
バリア２の閉状態からバリア２を手動操作によって開位置Ｐ２Ｂまで移動させると、バリア検出スイッチ１ｃがオンとなる。即ち、接片１ｄ，１ｅが互いに接触し、図１４に示すＣＰＵ３２による撮影処理がスタートする。
【００５０】
ステップＳ１において、ＣＰＵ３２は、モータ駆動用ドライバ３３に駆動信号を送り、駆動モータ１１によりカメラ内に沈胴しているレンズ鏡筒３が撮影位置（撮影準備位置）方向に繰り出される。
【００５１】
ステップＳ２において、ＣＰＵ３２は、レンズ鏡筒３が撮影位置（レンズ初期位置）、例えば、ズームワイド端位置に到達したどうかを撮影位置検出スイッチ３４ｂの出力信号によりチェックする。レンズ鏡筒３が撮影位置に到達したことが検知されると、ステップＳ３にて駆動モータ１１をオフとし、レンズ鏡筒３の繰り出しを停止させる。
【００５２】
この後、ステップＳ４に進み、レリーズ釦１０が操作されたかどうかをレリーズスイッチ１０ａによってチェックする。該スイッチ１０ａがオンになったときに、ステップＳ５に進み、ＣＰＵ３２による撮影シーケンス処理が実行される。
【００５３】
また、上記ステップＳ４のチェックでレリーズスイッチ１０ａがオフが検出されたの場合、ステップＳ６にジャンプして、バリア２のバリア検出スイッチ１ｃのオンオフをチェックする。バリア検出スイッチ１ｃがオフが検出されると、即ち、バリア２が手動操作によって閉じ方向に動かされた場合、ステップＳ７に進み、レンズ鏡筒３が繰り込み方向に駆動される。
【００５４】
そして、ステップＳ８にて、ＣＰＵ３２は、レンズ鏡筒３が収納位置に繰り込まれたかを収納位置検出スイッチ３４ａの出力信号によりチェックする。レンズ鏡筒３が収納位置に到達したと判断されたら、ステップＳ９に進み、レンズ鏡筒３の駆動を停止して、本ルーチンを終了する。
【００５５】
なお、上記図１３の回路中のフォトインタラプタ１７は、レンズ鏡筒の撮影位置および沈胴位置での正確な位置制御等に用いてよい。但し、必ずしもこの構成は必要としないので詳細説明は省略する。
【００５６】
以上、説明した本実施形態のバリア付きカメラによると、バリア２をロックする機構が極めて簡単でその構成部品も少ない。そして、レンズ鏡筒３を収納位置に繰り込み動作中、もし、バリア２を閉じ方向に押圧操作されたとしてもロック軸１８がバリア２の係止穴２ｃに嵌入してバリア準開位置Ｐ２Ｃでロックされ、レンズ鏡筒３への干渉が確実に防止される。
【００５７】
また、レンズ鏡筒の繰り込み動作中にバリア２に押圧操作力が作用していなければ、そのまま、ロック軸１８は、戻しバネ１９により非ロック位置、すなわち、カメラ本体１の支持穴１ｉから突出しない位置に引き戻される。しかし、ロック軸１８がバリア２によってＰ方向に押圧されたままの状態に保持されている場合は、ロック軸１８は後退せず、押圧バネ３ｇがレンズ鏡筒３とともに後退する。したがって、レンズ鏡筒３の駆動系は過負荷の働かない通常の繰り込み駆動状態で駆動される。
【００５８】
【発明の効果】
上述のように本発明のバリア付きカメラによれば、撮影レンズを露呈させる開位置と閉鎖する閉位置とに移動可能なバリアを有するカメラにおいて、レンズ鏡筒を収納位置へ繰り込み動作中、バリアを閉じ方向に押圧操作したとしても、バリアがロックされ、上記レンズ鏡筒に当接することがなく、そのレンズ鏡筒駆動手段にも過負荷が作用しない。そして、上記バリアをロックするための機構部の構成が極めて簡単であり、低コスト化が実現できる。
【図面の簡単な説明】
【図１】本発明の一実施形態を示すバリア付きカメラのバリア開状態での斜視図。
【図２】上記図１のバリア付きカメラの撮影状態でバリアを取り外した状態を示す分解斜視図。
【図３】上記図１のバリア付きカメラに装着されるバリアを図１のＡ方向と反対の内面側から見た斜視図。
【図４】上記図１のバリア付きカメラの図１のＡ方向から見たバリア開状態での正面図。
【図５】上記図１のバリア付きカメラの図１のＡ方向から見たバリア準開状態での正面図。
【図６】上記図１のバリア付きカメラの図１のＡ方向から見たバリア閉状態での正面図。
【図７】上記図１のバリア付きカメラのロック部材，レンズ鏡筒周りの分解斜視図。
【図８】上記図１のバリア付きカメラのバリアが閉位置、レンズ鏡筒が収納位置にある状態での図１に示すＢ−Ｂ矢視での断面図。
【図９】上記図１のバリア付きカメラのバリアが開位置、レンズ鏡筒が撮影位置にある状態での図１に示すＢ−Ｂ矢視での断面図。
【図１０】上記図１のバリア付きカメラのバリアが準開位置、レンズ鏡筒が撮影位置にある状態での図１に示すＢ−Ｂ矢視での断面図。
【図１１】上記図１のバリア付きカメラのバリアが準開位置にあり、レンズ鏡筒が繰り込み途中の状態での図１に示すＢ−Ｂ矢視での断面図。
【図１２】上記図１のバリア付きカメラのバリアが準開位置にあり、レンズ鏡筒が収納位置に繰り込まれた状態での図１に示すＢ−Ｂ矢視での断面図。
【図１３】上記図１のバリア付きカメラの鏡筒制御部、および、各検出スイッチ部周りの主要電気制御回路。
【図１４】上記図１のバリア付きカメラにおけるバリア開閉に伴うレンズ鏡筒の制御動作を含む撮影処理のゼネラルフローチャート。
【符号の説明】
１　…カメラ本体
２　…バリア
３　…レンズ鏡筒（撮影レンズ鏡筒）
１８　…ロック軸（ロック部材）
１９　…戻しバネ（付勢部材）
【図１】
2004013007.tif 000003
【図２】
2004013007.tif 000004
【図３】
2004013007.tif 000005
【図４】
2004013007.tif 000006
【図５】
2004013007.tif 000007
【図６】
2004013007.tif 000008
【図７】
2004013007.tif 000009
【図８】
2004013007.tif 000010
【図９】
2004013007.tif 000011
【図１０】
2004013007.tif 000012
【図１１】
2004013007.tif 000013
【図１２】
2004013007.tif 000014
【図１３】
2004013007.tif 000015
【図１４】
2004013007.tif 000016